(57)【要約】【課題】表示画面に対応する部分に印刷による凹凸が形成されない表示画面用フィルムを提供する。【解決手段】表示画面の表面に設けられる表示画面用フィルム１０は、フィルム基材１１と、その表示画面に対応する部分１１ａの裏面側に設けられたコールドフォイル印刷層１２とを備える。コールドフォイル印刷層１２は、フィルム基材１１側から順に透明接着剤層１２ａ及び透明ホログラム箔層１２ｂが積層されて構成されている。【選択図】図２
0003205233.tif 000002
【実用新案登録請求の範囲】
【請求項１】
表示画面の表面に設けられる表示画面用フィルムであって、
フィルム基材と、
前記フィルム基材の前記表示画面に対応する部分の裏面側に設けられたコールドフォイル印刷層と、
を備え、
前記コールドフォイル印刷層は、前記フィルム基材側から順に透明接着剤層及び透明ホログラム箔層が積層されて構成されていることを特徴とする表示画面用フィルム。
【請求項２】
請求項１に記載された表示画面用フィルムにおいて、
前記フィルム基材は、前記表示画面の外側部分に対応する外周縁部分を有し、
前記フィルム基材の前記外周縁部分の裏面側には粘着層が設けられている一方、前記表示画面に対応する部分の裏面側には粘着層が設けられていないことを特徴とする表示画面用フィルム。
【請求項３】
請求項１又は２に記載された表示画面用フィルムにおいて、
スマートフォン又はタブレット端末の表示画面の表面を覆うように設けられることを特徴とする表示画面用フィルム。
【考案の詳細な説明】
【技術分野】
【０００１】
本考案は、表示画面の表面に設けられる保護フィルムに関する。
【背景技術】
【０００２】
携帯電話、スマートフォン、タブレット端末等の携帯端末の表示画面を覆うように保護フィルムを設けることが知られている。例えば、特許文献１には、携帯電話の表示画面を覆うように貼設される保護フィルムであって、表示画面の表示領域に透明な蛍光塗料等による装飾が設けられたものが開示されている。特許文献２には、携帯電話の表示画面を覆うように貼設される保護フィルムであって、表示画面の表示領域に透明インクによる装飾が設けられたものが開示されている。
【先行技術文献】
【特許文献】
【０００３】
【特許文献１】実用新案登録第３０８５２２７号公報
【特許文献２】特開２００４−２６４７９６号公報
【考案の概要】
【考案が解決しようとする課題】
【０００４】
ところで、いわゆるホットスタンプにより金属箔で表現する場合、熱と共に高圧を付与して印刷するため、印刷物には凹凸が生じる。例えば、スマートフォン用の表示画面用フィルムの表示画面に対応する部分に、このホットスタンプにより金属箔の装飾を設けた場合、表面に凹凸が生じるため、タッチパネルの操作性が損なわれる虞があるという問題がある。
【０００５】
本考案の課題は、表示画面に対応する部分の表面に印刷に起因する凹凸が形成されない表示画面用フィルムを提供することである。
【課題を解決するための手段】
【０００６】
請求項１に係る考案は、表示画面の表面に設けられる表示画面用フィルムであって、フィルム基材と、前記フィルム基材の前記表示画面に対応する部分の裏面側に設けられたコールドフォイル印刷層とを備え、前記コールドフォイル印刷層は、前記フィルム基材側から順に透明接着剤層及び透明ホログラム箔層が積層されて構成されていることを特徴とする。
【０００７】
このような構成によれば、フィルム基材の表示画面に対応する部分の裏面側に、高圧を伴わずに形成されるコールドフォイル印刷層が設けられているので、この部分に印刷に起因する凹凸が形成されるのを回避することができる。また、コールドフォイル印刷層が透明接着剤層及び透明ホログラム箔層で構成されているので、表示画面に表示がなされているときには、その視認を阻害することなく、一方、表示画面に表示がなされていないときには、コールドフォイル印刷層によるデザインを楽しむことができる。
【０００８】
請求項２に係る考案は、請求項１に記載された表示画面用フィルムにおいて、前記フィルム基材は、前記表示画面の外側部分に対応する外周縁部分を有し、前記フィルム基材の前記外周縁部分の裏面側には粘着層が設けられている一方、前記表示画面に対応する部分の裏面側には粘着層が設けられていないことを特徴とする。
【０００９】
このような構成によれば、表示画面に対応する部分の裏面側に粘着層が設けられていないので、表示画面用フィルムと表示画面との間のいわゆるエア噛みが生じるのを防止することができる。
【００１０】
請求項３に係る考案は、請求項１又は２に記載された表示画面用フィルムにおいて、スマートフォン又はタブレット端末の表示画面の表面を覆うように設けられることを特徴とする。
【００１１】
このような構成によれば、表示画面に対応する部分に印刷に起因する凹凸が形成されていないことに加え、コールドフォイル印刷層がフィルム基材の裏面側に設けられているので、表面がスムーズであり、そのためスマートフォン又はタブレット端末のタッチパネル操作の操作性が損なわれるのを回避することができる。
【考案の効果】
【００１２】
本考案によれば、フィルム基材の表示画面に対応する部分の裏面側に印刷に起因する凹凸が形成されるのを回避することができる。
【図面の簡単な説明】
【００１３】
【図１】実施形態に係る表示画面用フィルムの平面図である。
【図２】実施形態に係る表示画面用フィルムの一部分の断面拡大図である。
【考案を実施するための形態】
【００１４】
実施形態について図面に基づいて詳細に説明する。
【００１５】
図１及び２は、実施形態に係る表示画面用フィルム１０を示す。実施形態に係る表示画面用フィルム１０は、スマートフォンの表示画面及びその外側部分の表面を覆うように設けられるものである。
【００１６】
実施形態に係る表示画面用フィルム１０は、フィルム基材１１と、コールドフォイル印刷層１２と、粘着層１３と、剥離フィルム１４とを備える。
【００１７】
フィルム基材１１は、スマートフォンの平面形状に対応した縦長略矩形に形成されており、スマートフォンの表示画面に対応する中央矩形部分１１ａと、表示画面の外側部分に対応する外周縁部分１１ｂとを有する。
【００１８】
フィルム基材１１としては、例えば、ポリエステルフィルム、ポリエチレンフィルム、ポリプロピレンフィルム、アクリルフィルムなどの樹脂フィルムやガラスフィルム等が挙げられる。フィルム基材１１には、表面の防指紋、撥水、撥油或いは親水、親油、抗菌、反射防止、覗き見防止、耐衝撃等の機能が付加されていてもよい。フィルム基材１１の表面にはアンチグレア処理が施されていてもよい。フィルム基材１１の裏面にはアンチニュートンリング処理が施されていてもよい。フィルム基材１１の厚さは例えば５０〜２００μｍである。
【００１９】
コールドフォイル印刷層１２は、フィルム基材１１の中央矩形部分１１ａの裏面側に設けられており、表示画面用フィルム１０の平面視において、模様や絵画やキャラクターなどの図柄や文字等の装飾（図１では市松模様）を構成する。コールドフォイル印刷層１２は、フィルム基材１１側から順に透明接着剤層１２ａ及び透明ホログラム箔層１２ｂが積層されて構成されている。なお、透明ホログラム箔層１２ｂには、コールドフォイル印刷層１２の透明性を損なわない範囲で、更にインク層が積層されていてもよい。
【００２０】
透明接着剤層１２ａを形成する接着剤としては、例えば、基材を樹脂とする紫外線硬化型接着剤や熱硬化型接着剤等が挙げられる。その基材としては、例えば、エポキシ樹脂、ウレタン樹脂、アクリル樹脂、メラミン樹脂、ポリエステル樹脂等が挙げられる。透明ホログラム箔層１２ｂを形成する箔材としては、典型的にはアルミニウム箔が挙げられる。透明接着剤層１２ａの厚さは例えば５〜１０μｍである。透明ホログラム箔層１２ｂの厚さは例えば１０μｍ以下である。
【００２１】
粘着層１３は、フィルム基材１１の外周縁部分１１ｂの裏面側に設けられている。粘着層１３を形成する材料としては、例えば、シリコン系粘着剤やアクリル系粘着剤等が挙げられる。粘着層１３の厚さは例えば５０μｍ以下である。なお、フィルム基材１１と粘着層１３との間には、表示画面用フィルム１０の平面視において、例えば黒色の単色を現すインク層、又は、装飾を現すインク層が設けられていてもよい。また、このようなインク層は、フィルム基材１１の外周縁部分１１ｂの表面側に設けられていてもよい。
【００２２】
剥離フィルム１４は、フィルム基材１１と同一形状に形成されており、粘着層１３に密着して裏面全体を覆うように設けられている。剥離フィルム１４としては、例えば、粘着層１３側の表面にシリコン処理が施されたポリエステルフィルム等の樹脂フィルムが挙げられる。剥離フィルム１４の厚さは例えば５０〜１５０μｍである。
【００２３】
以上の構成の実施形態に係る表示画面用フィルム１０によれば、フィルム基材１１の表示画面に対応する中央矩形部分１１ａの裏面側に、高圧を伴わずに形成されるコールドフォイル印刷層１２が設けられているので、この中央矩形部分１１ａに印刷に起因する凹凸が形成されるのを回避することができる。
【００２４】
また、コールドフォイル印刷層１２が透明接着剤層１２ａ及び透明ホログラム箔層１２ｂで構成されているので、表示画面に表示がなされているときには、その視認を阻害することなく、一方、表示画面に表示がなされていないときには、コールドフォイル印刷層１２によるデザインを楽しむことができる。
【００２５】
更に、表示画面に対応する部分に印刷に起因する凹凸が形成されていないことに加え、コールドフォイル印刷層１２がフィルム基材１１の裏面側に設けられているので、表面がスムーズであり、そのためスマートフォンのタッチパネル操作の操作性が損なわれるのを回避することができる。
【００２６】
また、表示画面に対応する中央矩形部分１１ａの裏面側に粘着層１３が設けられていないので、表示画面用フィルム１０と表示画面との間のいわゆるエア噛みが生じるのを防止することができる。
【００２７】
次に、実施形態に係る表示画面用フィルム１０の製造方法について説明する。
【００２８】
まず、フィルム基材１１の中央矩形部分１１ａ裏面側にコールドフォイル印刷によりコールドフォイル印刷層１２を形成する。具体的には、スクリーン印刷法により所定の装飾が構成されるように接着剤を印刷した後、その上に透明ホログラム箔を圧着する。このとき、接着剤が付着している部分のみに透明ホログラム箔が転写される。その後、接着剤を硬化させる。例えば、紫外線硬化型接着剤の場合には紫外線を照射し、ホットメルト接着剤のような熱硬化型接着剤場合には加熱する。このとき、接着剤が硬化すると共に透明ホログラム箔が固着して透明接着剤層１２ａ及び透明ホログラム箔層１２ｂが積層されたコールドフォイル印刷層１２が形成される。このコールドフォイル印刷では、フィルム基材１１に高圧が付与されないので、コールドフォイル印刷層１２が形成されるフィルム基材１１の中央矩形部分１１ａの表面に印刷に起因する凹凸が形成されない。
【００２９】
続いて、フィルム基材１１の裏面側の外周縁部分１１ｂにスクリーン印刷により例えば紫外線硬化型粘着剤を印刷して紫外線を照射することにより粘着層１３を形成する。
【００３０】
そして、粘着層１３に剥離フィルム１４を貼設することにより実施形態に係る表示画面用フィルム１０が得られる。
【００３１】
なお、上記実施形態では、スマートフォンの表示画面及びその外側部分を覆う表示画面用フィルム１０としたが、特にこれに限定されるものではなく、携帯電話、タブレット端末、デジタルカメラ、電子辞書、ウエアラブル端末等の携帯端末の表示画面の表面を覆おうように設けられるものであってもよく、また、パーソナルコンピュータの表示画面の表面を覆うように設けられるものであってもよい。
【００３２】
上記実施形態では、フィルム基材１１の外周縁部分１１ｂの裏面側に粘着層１３が設けられている一方、表示画面に対応する部分の裏面側に粘着層１３が設けられていない構成としたが、特にこれに限定されるものではなく、フィルム基材１１の裏面側の全面に粘着層１３が設けられている構成であってもよい。
【００３３】
上記実施形態では、スマートフォンの表示画面及びその外側部分を覆う略矩形の表示画面用フィルム１０としたが、特にこれに限定されるものではなく、表示画面に貼設される装飾物の形状に応じたシールを構成するものであってもよい。
【産業上の利用可能性】
【００３４】
本考案は、表示画面の表面に設けられる表示画面用フィルムの技術分野について有用である。
【符号の説明】
【００３５】
１０  表示画面用フィルム
１１  フィルム基材
１１ａ  中央矩形部分
１１ｂ  外周縁部分
１２  コールドフォイル印刷層
１２ａ  透明接着剤層
１２ｂ  透明ホログラム箔層
１３  粘着層
１４  剥離フィルム
【図１】
0003205233.tif 000003
【図２】
0003205233.tif 000004